(57)【要約】【課題】  ユーザの在席を外部機器に通知することができる電子機器、その制御方法、制御プログラム及びこの制御プログラムが記録された記録媒体を提供する。【解決手段】  端末装置１０Ｂは、ユーザが携帯する通信機器２０から間欠送信される識別コードを受信し、この受信結果に基づいてユーザが在席するか否かを検出すると共に、ＬＡＮ１００を介して他の端末装置１０Ａから在席確認要求を受信すると、ユーザが在席中の際はその旨の応答信号を他の端末装置１０Ａに送信するようにした。【選択図】      図１
2005198135.tif 000002
【特許請求の範囲】
【請求項１】
ユーザに携帯される通信機器との間の無線通信により前記通信機器が通信可能エリアに在圏するか否かを検出する在圏検出手段と、
通信ネットワークを介して接続された外部機器から、前記通信機器が在圏するか否かを問い合わせる在圏確認要求を受信すると、前記在圏検出手段の検出結果を示す応答信号を前記外部機器に送信する通信制御手段と
を備えることを特徴とする電子機器。
【請求項２】
前記通信制御手段は、前記応答信号として、前記通信機器が通信可能エリアに在圏することを検出した旨を送信することを特徴とする請求項１に記載の電子機器。
【請求項３】
前記在圏検出手段は、前記通信機器から間欠送信される識別コードを無線受信し、受信した前記識別コードが、予め記憶された識別コードと一致するか否かを判別することにより、前記通信機器が在圏するか否かを検出することを特徴とする請求項１又は２に記載の電子機器。
【請求項４】
前記在圏検出手段は、前記通信制御手段が前記在圏確認要求を受信すると、予め記憶された識別コードと一致する識別コードの受信状況が予め設定された第１の条件を満たすか否かを判別し、前記第１の条件を満たす場合に前記通信機器が在圏すると判断する一方、前記第１の条件を満たさない場合は、前記受信状況が、前記第１の条件よりも前記通信機器が長く在圏することを検出するために予め設定された第２の条件を満たすか否かを判別し、この第２の条件が満たされた場合に前記通信機器が在圏すると判断することを特徴とする請求項３に記載の電子機器。
【請求項５】
前記第１及び第２の条件は、予め記憶された識別コードと一致する識別コードの受信回数、又は、前記識別コードの規定時間内の受信回数を規定する条件であることを特徴とすることを特徴とする請求項４に記載の電子機器。
【請求項６】
通信ネットワークを介して接続された外部機器から、ユーザに携帯される通信機器が所定エリアに在圏するか否かを問い合わせる在圏確認要求を受信する受信ステップと、
前記通信機器との無線通信により前記通信機器が通信可能エリアに在圏するか否かを検出して検出結果を示す応答信号を前記外部機器に送信する送信ステップと
を有することを特徴とする電子機器の制御方法。
【請求項７】
前記送信ステップにおいては、前記応答信号として、前記通信機器が通信可能エリアに在圏することを検出した旨を送信することを特徴とする請求項６に記載の電子機器の制御方法。
【請求項８】
前記送信ステップにおいては、前記通信機器から間欠送信される識別コードを無線受信し、受信した前記識別コードが、予め記憶された識別コードと一致するか否かを判別することにより、前記通信機器が在圏するか否かを検出することを特徴とする請求項６又は７に記載の電子機器の制御方法。
【請求項９】
前記送信ステップにおいては、予め記憶された識別コードと一致する識別コードの受信状況が予め設定された第１の条件を満たすか否かを判別し、前記第１の条件を満たす場合に前記応答信号を送信する一方、前記第１の条件を満たさない場合は、前記受信状況が、前記第１の条件よりも前記通信機器が長く在圏することを検出するために予め設定された第２の条件を満たすか否かを判別し、この第２の条件が満たされた場合に前記応答信号を送信することを特徴とする請求項８に記載の電子機器の制御方法。
【請求項１０】
前記第１及び第２の条件は、予め記憶された識別コードと一致する識別コードの受信回数、又は、前記識別コードの設定時間内の受信回数を規定する条件であることを特徴とすることを特徴とする請求項９に記載の電子機器の制御方法。
【請求項１１】
通信ネットワークを介して外部機器と接続され、ユーザに携帯される通信機器との間の無線通信により前記通信機器が通信可能エリアに在圏するか否かを検出する機能を具備する電子機器をコンピュータにより制御するための制御プログラムにおいて、
前記外部機器から、前記通信機器が通信可能エリアに在圏するか否かを問い合わせる在圏確認要求を受信した場合に、前記通信機器が通信可能エリアに在圏するか否かを検出させ、この検出結果を示す応答信号を前記外部機器に送信させることを特徴とする制御プログラム。
【請求項１２】
前記請求項１１に記載の制御プログラムを記録したことを特徴とするコンピュータ読み取り可能な記録媒体。
【発明の詳細な説明】
【技術分野】
【０００１】
本発明は、通信機器との間で無線通信を行う電子機器、その制御方法、制御プログラム及び記録媒体に関する。
【背景技術】
【０００２】
従来より、ユーザに携帯される送信器から間欠的に送信される識別コードを受信して受信中は使用制限を解除する電子機器が知られている（例えば、特許文献１）。
【特許文献１】特許第２９３１２７６号公報
【発明の開示】
【発明が解決しようとする課題】
【０００３】
しかしながら、上記電子機器は使用できるようになるだけであり、例えば、「不在中に席に戻ったら連絡を下さい」といったメールが入っていた場合でもあっても、ユーザがメールを確認して連絡を取らなければ、メール送信者はそのユーザと連絡をとることができない。
【０００４】
本発明は、上述した事情に鑑みてなされたものであり、ユーザの在席を外部機器に通知することができる電子機器、その制御方法、制御プログラム及びこの制御プログラムが記録された記録媒体を提供することを目的としている。
【課題を解決するための手段】
【０００５】
上記課題を解決するため、本発明は、ユーザに携帯される通信機器との間の無線通信により前記通信機器が通信可能エリアに在圏するか否かを検出する在圏検出手段と、通信ネットワークを介して接続された外部機器から、前記通信機器が在圏するか否かを問い合わせる在圏確認要求を受信すると、前記在圏検出手段の検出結果を示す応答信号を前記外部機器に送信する通信制御手段とを備えることを特徴とする電子機器を提供する。この構成によれば、電子機器が、外部機器からの在圏確認要求に応じて通信機器が通信可能エリアに在圏するか否かの検出結果を示す応答信号を外部機器に送信するので、通信機器が電子機器の近くに存在するか否かを外部機器に通知することができる。
【０００６】
上記構成において、前記通信制御手段は、前記応答信号として、前記通信機器が通信可能エリアに在圏することを検出した旨を送信してもよい。また、前記在圏検出手段は、前記通信機器から間欠送信される識別コードを無線受信し、受信した前記識別コードが、予め記憶された識別コードと一致するか否かを判別することにより、前記通信機器が在圏するか否かを検出することが好ましい。この場合、前記在圏検出手段は、前記通信制御手段が前記在圏確認要求を受信すると、予め記憶された識別コードと一致する識別コードの受信状況が予め設定された第１の条件を満たすか否かを判別し、前記第１の条件を満たす場合に前記通信機器が在圏すると判断する一方、前記第１の条件を満たさない場合は、前記受信状況が、前記第１の条件よりも前記通信機器が長く在圏することを検出するために予め設定された第２の条件を満たすか否かを判別し、この第２の条件が満たされた場合に前記通信機器が在圏すると判断してもよい。また、前記第１及び第２の条件は、予め記憶された識別コードと一致する識別コードの受信回数、又は、前記識別コードの規定時間内の受信回数を規定する条件にすることが好ましい。
【０００７】
また、本発明は、通信ネットワークを介して接続された外部機器から、ユーザに携帯される通信機器が所定エリアに在圏するか否かを問い合わせる在圏確認要求を受信する受信ステップと、前記通信機器との無線通信により前記通信機器が通信可能エリアに在圏するか否かを検出して検出結果を示す応答信号を前記外部機器に送信する送信ステップとを有することを特徴とする電子機器の制御方法。この構成によれば、外部機器から在圏確認要求を受信した場合に、通信機器が通信可能エリアに在圏するか否かを検出して検出結果を示す応答信号を外部機器に送信するので、通信機器が電子機器の近くに存在するか否かを外部機器に通知することができる。
【０００８】
上記構成において、前記送信ステップにおいては、前記応答信号として、前記通信機器が通信可能エリアに在圏することを検出した旨を送信してもよい。また、前記送信ステップにおいては、前記通信機器から間欠送信される識別コードを無線受信し、受信した前記識別コードが、予め記憶された識別コードと一致するか否かを判別することにより、前記通信機器が在圏するか否かを検出することが好ましい。この場合、前記送信ステップにおいては、予め記憶された識別コードと一致する識別コードの受信状況が予め設定された第１の条件を満たすか否かを判別し、前記第１の条件を満たす場合に前記応答信号を送信する一方、前記第１の条件を満たさない場合は、前記受信状況が、前記第１の条件よりも前記通信機器が長く在圏することを検出するために予め設定された第２の条件を満たすか否かを判別し、この第２の条件が満たされた場合に前記応答信号を送信してもよい。また、前記第１及び第２の条件は、予め記憶された識別コードと一致する識別コードの受信回数、又は、前記識別コードの設定時間内の受信回数を規定する条件にすることが好ましい。
【０００９】
また、本発明は、以上説明した電子機器及びその制御方法に適用する他、この発明を実施するための制御プログラムを電気通信回線を介して一般ユーザに配布したり、そのようなプログラムを、ＣＤ−ＲＯＭや、フロッピー（登録商標）ディスクや光記録ディスクといった、コンピュータに読み取り可能な記録媒体に格納して一般ユーザに配布する、といった態様でも実施され得る。
【発明の効果】
【００１０】
本発明は、電子機器が、通信機器から間欠送信される識別コードを受信し、この受信結果に基づいて通信機器が所定エリアに在圏するか否かを検出すると共に、通信ネットワークを介して接続された外部機器から在席確認要求を受信すると、通信機器の在圏検出結果を示す応答信号を外部機器に送信することにより、ユーザが携帯する通信機器が近くに存在することを外部機器に通知することができる。
【発明を実施するための最良の形態】
【００１１】
以下、図面を参照して本発明の実施形態について説明する。図１は、本発明に係る電子機器を端末装置１０に適用した場合の全体構成を示す図である。図１に示すように、端末装置１０は、パーソナルコンピュータ（ＰＣ）が適用され、複数の端末装置１０によってＬＡＮ１００が構築されている。
【００１２】
本実施形態に係る端末装置１０が従来のＰＣと異なる点について簡単に説明すると、端末装置１０は、通信機器２０との間で微弱な電波で無線通信することにより、通信機器２０が当該通信端末１０の近距離エリア（通信可能エリア）に在圏するか否か、つまり、通信機器２０を携帯するユーザが在席するか否かを検出する点（在席検出処理）と、他の端末装置１０との間でＬＡＮ１００を介してユーザの在席確認要求（通信機器２０の在圏確認要求）や応答信号を送受信する点（在席確認処理）である。ここで、本実施形態では、通信機器２０を各端末装置１０に一台ずつ割り当てた場合を例に説明するが、端末装置１０に複数台の通信機器２０を割り当ててもよい。
【００１３】
図２は、端末装置１０と通信機器２０の機能構成を示すブロック図である。この端末装置１０において、制御部１１は、端末装置１０全体を制御するコンピュータとして機能するものであり、ＣＰＵ（Central Processing Unit）などで構成されている。記憶部１２は、制御部１１が実行する各種制御プログラムやデータの他に、自装置１０に割り当てられた通信機器２０の識別コードなどが記憶されている。なお、本実施形態では、上述した在席検出処理や在席確認処理を行うための制御プログラムが、電子メールを送受信するプログラムに含まれている場合を例に説明する。
【００１４】
受信ユニット１３は、制御部１１の制御の下、通信機器２０から送信された識別コードを無線受信するユニットであり、端末装置１０の図示せぬスロット（例えばＰＣＩスロット）などに配置されている。この受信ユニット１３は、アンテナ１４を介して受信した信号から識別コードを復調する復調回路などを備え、復調した識別コードを制御部１１に出力する。本実施形態では、消費電力の低減及び構成の簡略化の観点から、この受信ユニット１３が受信のみを行う構成を採用しているが、Bluetooth（登録商標）や無線ＬＡＮ（Local Area Network）などの双方向通信用の通信ユニットを採用してもよい。
【００１５】
また、表示制御部１５は、制御部１１の制御の下、端末装置１０に接続された表示装置１６に映像信号を出力して各種情報を表示させるものである。操作入力部１７は、ユーザ操作を入力するためのものであり、具体的には、この端末装置１０に接続された入力デバイス（キーボードやマウス等）１８の出力信号を入力して制御部１１に出力する。通信インターフェース（通信Ｉ／Ｆ）１９は、この端末装置１０をＬＡＮ１００やインターネット等の通信ネットワークに接続するためのものであり、本実施形態ではＬＡＮ１００を介して他の端末装置１０との間でメールの送受信などを行うために使用される。
【００１６】
通信機器２０は、端末装置１０のユーザが携帯する機器であり、本実施形態では、図１に示すように、本体ケース３０と、ユーザの身体（腕）に装着するためのバンド３１とを備えて腕時計として使用可能に構成されている。具体的には、本体ケース３０には、外観に表される構成として、時刻などを表示する表示部３２と、ユーザ操作を入力するための操作子３３とが設けられる。なお、図示の例では、後述する送信ユニット２３及びアンテナ２４が本体ケース３０に内蔵されている場合を例示するが、送信ユニット２３及びアンテナ２４を本体ケース３０の外に設けてもよい。
【００１７】
次いで、この通信機器２０の電気的構成について説明する。図２に示すように、通信機器２０において、制御部２１は、この通信機器２０全体を制御するコンピュータとして機能するものであり、ＣＰＵなどから構成される。記憶部２２は、制御部２１が実行する各種制御プログラムやデータの他に、固有の識別コードなどが記憶されている。具体的には、この識別コードとして、例えば「１２３４５６」の６桁のコードを採用している。
【００１８】
送信ユニット２３は、制御部２１の制御の下、アンテナ２４を介して記憶部２２に記憶された識別コードを無線送信するユニットである。本実施形態では、消費電力の低減及び構成の簡略化の観点から、この送信ユニット２３が送信のみを行う構成の場合を例に説明するが、Bluetoothや無線ＬＡＮなどの双方向通信用の通信ユニットであってもよい。ここで、この送信ユニット２３の送信レベルは、識別コードの受信可能エリアが数十センチ〜数メートル程度の範囲となるレベルに設定される。計時部２５は、時刻を計時するものであり、発振回路、クロックカウンタ及びレジスタなどから構成される。また、表示部３２は、制御部２１の制御の下、計時部２５で計時された時刻や各種情報を表示するものであり、例えば、液晶表示パネルや液晶駆動回路などから構成される。
【００１９】
以上の構成の下、この通信機器２０は、表示部３２に時刻を表示する機能に加え、制御部２１が記憶部２２に記憶された制御プログラムを実行することにより、記憶部２２に記憶された識別コードを間欠送信する。具体的には、本実施形態では、識別コードを１分間隔で１秒間送信するといった処理を繰り返し行い、例えば、識別コードに、「１２３４５６」の６桁のコードを用いた場合は、１分間隔で、「Ｆ１２３４５６Ｆ１２３４５６Ｆ１２３４５６…」のように１秒間、識別コードを送信し続ける。ここで、「Ｆ」は、識別コードの区切り（先頭）を示すために付加されるデータである。
【００２０】
なお、この識別コードは、通信機器２０と端末装置１０とに同一のデータをユーザが任意に設定するようにしてもよく、工場出荷時に予め同一のデータを書き込んでおいてもよい。また、工場出荷時は通信機器２０の記憶部２２だけに書き込んでおき、端末装置１０が通信機器２０から受信した識別コードを自装置１０の記憶部１２に書き込むようにしてもよい。このようにすれば、端末装置１０のユーザが変更した場合でも、ユーザが携帯する通信機器２０の識別コードを変更後の端末装置１０に記憶させればよく、通信機器２０を取り替えることなく、端末装置１０の変更が可能となる。
【００２１】
次に、端末装置１０の動作について説明する。図３は、在席検出処理の一例を示すフローチャートである。なお、本実施形態では、この在席検出処理は、電子メール用のプログラムを実行した場合などに実行される。まず、端末装置１０において、制御部１１は、受信ユニット１３を駆動し、識別コードを受信したか否かを判別する（ステップＳ１）。より具体的には、制御部１１は、予め設定した設定時間内に識別コードを受信したか否かを判別し、識別コードを受信しなかった場合は、識別コードが一致しない旨を記憶部１２の所定エリアに登録する（ステップＳ２）。ここで、通信機器２０は、上記したように、１分間隔で識別コードを送信するため、上記設定時間を最低一分間に設定しておけば、ユーザが近距離エリアに存在していれば識別コードを受信することができる。
【００２２】
識別コードを受信した場合、制御部１１は、受信した識別コードが記憶部１２に記憶された識別コードと一致するか否かの一致判定を行う（ステップＳ３）。一致しない場合は、制御部１１は、上記設定時間をリセットしないまま、ステップＳ１の処理に移行する。これにより、設定時間内に、記憶部１２に記憶された識別コードと一致する識別コードを受信しない場合は、ステップＳ２の処理に移行し、不一致である旨を順次登録する。一方、一致した場合、制御部１１は、一致した旨を記憶部１２の所定エリアに順次登録する（ステップＳ４）。ここで、制御部１１は、上記処理を所定の割り込み周期で繰り返し行うことにより、受信した識別データの一致或いは不一致の履歴が記憶部１２に格納されることとなる。
【００２３】
続いて、応答確認処理時の動作について説明する。以下、説明の便宜上、在席確認要求の送信元の端末装置１０と、在席確認要求の送信先の端末装置１０とを区別して説明する場合は、前者を在席確認端末１０Ａと表記し、後者を被在席確認端末１０Ｂと表記する（図１参照）。図４は、在席確認端末１０Ａと被在席確認端末１０Ｂのシーケンスを示す図である。なお、前提として、在席確認端末１０Ａと被在席確認端末１０Ｂにおいて、電子メール用のプログラムが実行されているものとする。
【００２４】
在席確認端末１０Ａにおいて、この在席確認端末１０Ａのユーザ（以下、確認元ユーザという。）により在席確認先のユーザ（以下、確認先ユーザという。）のメールアドレスが指定され、在席確認の指示が入力されることにより、制御部１１は、被在席確認端末１０Ｂに対して在席確認要求を送信する（ステップＳ１０）。この場合の確認元ユーザの操作としては、例えば、確認先ユーザ宛の電子メールを作成して送信する従来のメール操作法と同様の操作でもよいし、確認先ユーザのメールアドレスを指定して、所定の在席確認指示用のコマンド操作（アイコン操作を含む）でもよい。この場合、制御部１１は、電子メールに在席確認要求であることを示すデータを添付等することで、電子メールを利用して在席確認要求を確実に被在席確認端末１０Ｂへ送信することが可能となる。
【００２５】
被在席確認端末１０Ｂにおいて、制御部１１は、電子メールを介して在席確認要求を受信すると、在席検出処理にて記憶部１２に登録された情報に基づいて、識別コードの受信状況が第１の条件を満足しているか否かを判別する（ステップＳ１１）。ここで、この第１の条件は、通信機器２０が比較的短時間でも近くに存在すればユーザが在席すると判断する条件であり、記憶部１２に記憶された識別コードと一致する識別コードの受信回数または規定時間内の受信回数で規定される。本実施形態では、第１の条件は、在席確認要求受信後の初回識別コード（在席確認要求の受信後のタイミングで通信機器２０から最初に送信された識別コード）を受信したことが条件、より具体的には、識別コードを少なくとも１回受信したこと、或いは、在席確認要求受信後の１分以内に識別コードを少なくとも１回受信したことが条件とされる。
【００２６】
ステップＳ１１の判別結果が肯定の場合、制御部１１は、ユーザ（確認先ユーザ）が在席中であることを通知すべく、応答信号をＬＡＮ１００を介して在席確認端末１０Ａに送信する（ステップＳ１２）。例えば、本実施形態では、制御部１１は、ユーザが在席する旨のメッセージを本文に記載した電子メールを作成し、この電子メールを、受信した電子メールの差出人宛に送信する、つまり、返信メールを送信することにより、在席する旨を在席確認端末１０Ａに通知する。これにより、在席確認端末１０Ａにおいては、上記電子メールが受信されて受信メールがある旨がユーザ（確認元ユーザ）に報知されるので（ステップＳ１３）、確認元ユーザは、その電子メールを見て確認先ユーザが在席中であることを知ることができる。
【００２７】
一方、ステップＳ１１の判別結果が否定である場合、制御部１１は、記憶部１２に記憶された識別コードと一致する識別コードを受信するまで待機する（ステップＳ２０）。そして、一致する識別コードを受信すると、在席検出処理にて記憶部１２に登録された情報に基づいて、識別コードの受信状況が第２の条件を満足しているか否かを判別する（ステップＳ２１）。この第２の条件は、上記第１の条件よりも通信機器２０が長く在圏することを検出するための条件であり、記憶部１２に記憶された識別コードと一致する識別コードの受信回数または規定時間内の受信回数で規定される。本実施形態では、５分間連続して一致する識別コードを受信したことが第２の条件とされ、より具体的には、規定時間を５分、受信回数を、通信機器２０における５分間当たりの送信回数とした条件とされる。なお、第２の条件を受信回数とする場合は、第１の条件で設定される受信回数より多い値に設定する。
【００２８】
制御部１１は、この第２の条件を満たす場合はステップＳ１２の処理に移行してユーザが在席中であることを通知すべく、応答信号を在席確認端末１０Ａに送信する一方、第２の条件を満たさない場合はステップＳ２０の処理に移行し、第２の条件が満たされるまで応答信号は送信しない。この結果、確認先ユーザが一定期間在席している場合にだけ応答信号が在席確認端末１０Ａに送信されるので、確認元ユーザは、確認先ユーザの在席が確実なときに在席を知ることが可能となる。なお、制御部１１は、上記したように在席検出処理及び在席確認処理を実行することにより、通信機器２０が所定エリアに在圏するか否かを検出する在圏検出手段として機能すると共に、在席確認要求及び応答信号の送受信を制御する通信制御手段として機能するようになっている。
【００２９】
以上説明したように、本実施形態によれば、端末装置１０が、ユーザが携帯する通信機器２０から間欠送信される識別コードを受信し、この受信結果に基づいてユーザが在席するか否かを検出すると共に、ＬＡＮ１００を介して他の端末装置１０から在席確認要求を受信した場合に、ユーザ（確認先ユーザ）が在席している旨の応答信号を送信することにより、他の端末装置１０のユーザ（確認元ユーザ）に当該端末装置１０のユーザ（確認先ユーザ）が在席しているか否かを通知することができる。
【００３０】
また、端末装置１０は、在席確認要求を受信した直後は、通信機器２０が比較的短時間でも近くに存在すればユーザが在席すると判断する条件（第１の条件）に基づいてユーザの在席を検出するので、ユーザが在席していれば直ぐに応答信号を送信することができる。これにより、他の端末装置１０のユーザにほぼリアルタイムに確認先ユーザの在席を通知することが可能となる。
【００３１】
さらに、端末装置１０は上記条件（第１の条件）を満たさない場合は、上記第１の条件よりも通信機器２０が長く在圏することを検出するための条件（第２の条件）に基づいてユーザの在席を検出するので、確実にユーザが在席している場合に応答信号を送信することができる。これにより、他の端末装置１０のユーザに確実に確認先ユーザが在席していることを通知することが可能となる。従って、例えば、確認先ユーザが席に戻って直ぐに不在となった場合に、在席であると誤検出されて他の端末装置１０のユーザに通知してしまう場合を回避することが可能となる。
【００３２】
上述した実施形態は、あくまでも本発明の一態様を示すものであり、本発明の範囲内で任意に変形が可能である。例えば、上述の実施形態では、電子メールの機能を利用して在席確認要求及び応答信号の送受信を行う場合について述べたが、在席確認要求及び応答信号の送受信は電子メールに限定されない。例えば、ＬＡＮ１００内で各端末装置１０に割り当てたＩＰアドレス又は各端末装置１０に固有のＭＡＣアドレスなどを用いて、在席確認要求の相手先や応答信号の送信先を特定して在席確認要求や応答信号を送信するようにしてもよい。
【００３３】
また、上述の実施形態では、通信機器２０が識別コードを間欠送信する場合について述べたが、通信機器２０と端末装置１０とを双方向通信可能に構成した場合は、端末装置１０が在席確認要求を受信した場合に、通信機器２０に識別コードの送信要求を送信し、通信機器２０はこの送信要求を受信した場合に識別コードを送信するように構成してもよい。この場合、通信機器２０は識別コードを常時間欠送信する必要がなくなり、送信に要する電力を低減することができる。また、上記実施形態では、端末装置１０がユーザの在席を検出した場合にのみ応答信号を送信する場合について述べたが、ユーザが不在であってもその旨を示す応答信号を送信してもよい。
【００３４】
また、上述の実施形態では、ＬＡＮ１００に接続された全ての端末装置１０が、在席確認端末１０Ａと被在席確認端末１０Ｂとになる場合を説明したが、在席確認要求のみを行う在席確認端末１０Ａをサーバとして設置し、他の端末装置１０を、被在席確認端末１０Ｂとしての機能だけの端末装置としても構成してもよい。このようにすれば、サーバにより他の複数の端末装置１０の在席状況を一元管理することができ、労働時間管理などに用いることが可能である。
【００３５】
上述した実施形態において、通信機器２０に指紋、虹彩などの生体認証機能を設け、生体認証された場合のみ識別コードを送信するように構成してもよい。この構成によれば、正規のユーザが使用した場合にのみ識別コードを送信することが可能となり、不正回避やセキュリティー向上を図ることができる。また、上述の実施形態では、通信機器２０を腕時計として構成する場合について述べたが、要は、通信機器２０は携帯性に優れた形状であればよく、ＰＤＡ（Personal Digital Assistants）や携帯電話機として構成してもよく、また、カード型、小型のブローチ、バッジ、ペンダントなどの装飾品として構成してもよい。また、上述の実施形態では、本発明の電子機器をＰＣに適用する場合について述べたが、ＰＤＡや携帯電話機などの通信ネットワークに接続可能な様々な電子機器に広く適用することができる。
【００３６】
また、上述の各実施形態では、在席検出処理や在席確認処理を行うための制御プログラムを電子機器に予め格納しておく場合について述べたが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００３７】
【図１】本発明に係る電子機器を端末装置１０に適用した場合の全体構成を示す図である。
【図２】端末装置と通信機器の機能構成を示すブロック図である。
【図３】在席検出処理の一例を示すフローチャートである。
【図４】在席確認端末と被在席確認端末のシーケンスを示す図である。
【符号の説明】
【００３８】
１０…端末装置、１０Ａ…在席確認端末、１０Ｂ…被在席確認端末、１１、２１…制御部、１２、２２…記憶部、１３…受信ユニット、２４…送信ユニット、１００…ＬＡＮ。
【図１】
2005198135.tif 000003
【図２】
2005198135.tif 000004
【図３】
2005198135.tif 000005
【図４】
2005198135.tif 000006